(57)【要約】【課題】穴埋め部材の脱落を防止するとともに止水性も改善し、かつ美観を向上させる。【解決手段】コーン穴に嵌合する本体１１とセパレータの頭部が挿入される収納部１２とからなる樹脂製の穴埋め部材の収納部の内面に軸方向の複数列の突条１２１を形成し、かつ外部に向けた底面を着色する。【選択図】図１
0003127161.tif 000002
【実用新案登録請求の範囲】
【請求項１】
コンクリート壁体表面のコーン穴をふさぐ樹脂製のコンクリート壁体表面用穴埋め部材であって、前記コーン穴のコーン状の開口部に嵌合する本体（１１）と、この本体（１１）により一端側の開口が閉塞され、他端部の開口にセパレータのねじ部分が挿入される筒状の収納部（１２）とからなり、この収納部（１２）の内面に軸方向に複数列の突条（１２１）が形成されていることを特徴とするコンクリート壁体表面用穴埋め部材。
【請求項２】
取り付け後に壁体の表面側となる前記本体（１１）の底面を着色した請求項１に記載のコンクリート壁体表面用穴埋め部材。
【請求項３】
取り付け後に壁体の表面側となる前記本体（１１）の底面に反射材を貼り付けた請求項１に記載のコンクリート壁体表面用穴埋め部材。
【請求項４】
前記収納部（１２）の外側に筒状のゴムを嵌めた請求項１ないし３のいずれかに記載のコンクリート壁体表面用穴埋め部材。
【考案の詳細な説明】
【技術分野】
【０００１】
本考案は、コンクリート壁体を構築する際に表面に発生する穴を埋めて美観を向上させるコンクリート壁体表面用穴埋め部材に関する。
【背景技術】
【０００２】
コンクリートで壁体を構築する際、表面にセパレータのコーンによる穴が発生する。
図６は構築中のコンクリート壁体を示す断面図で、Ｗはコンクリートの壁体、３はセパレータ、４１はセパレータ両端の固定部分の板状部、４２は同じくコーン、５は板状部４１に挿入されるクリップ、６は型枠である。図７は板状部４１の斜視図ならびにコーン４２の断面図で、矢印のようにねじ込まれて、図８に示す連結金具４を構成する。
【０００３】
コンクリート硬化後、クリップ５を抜いて型枠６を外し、連結金具４を取り外すが、図９に示すように壁体Ｗの表面にはコーン穴Ｈが残り、しかも穴の中にはセパレータ３の先端のねじ部３１が突出している。
このままでは美観が悪く、かつねじ部３１によって幼児が怪我をしたり、ねじ部３１に発生するさびによって壁体Ｗの表面が汚れたりするおそれがあるので、従来、コーン穴Ｈ内に手作業でモルタルを充填することが行われていた。しかしこの作業は手間がかかる上、丁寧に作業しないとかえって外観が見苦しいものとなり、また充填が不完全で隙間が残るとモルタルが脱落したり内部に水が入ってねじ部にさびが発生し、さび汁が洩れ出して壁面を汚染するなどの問題点があった。
【０００４】
特許文献１には、このような問題点に対処できるようにしたコーン穴処理栓（穴埋め部材）が記載されている。図１０に示すように、このコーン穴処理栓１Ａは、コーン穴の入口部に嵌合する本体１１と、この本体１１により一方の端部がふさがれ、他方の端部の開口からセパレータの頭部（ねじ部）が挿入される筒状の収納部１２を有し、収納部１２はこの他方の端部側でセパレータの頭部を収納すると同時にコーン穴の底部に到達するように本体１１から突出して、本体１１と一体に成形されている。
【０００５】
このコーン穴処理栓１Ａは、指でコーン穴に押し込み、ハンマで軽く打ち込むことによって前記の収納部１２の端部がコーン穴の底部に密着すると同時に本体１１の外周の斜面１１１に等間隔で形成されたフィン１１２がつぶれ、本体１１底部のフランジ１１３が変形して壁体Ｗの表面よりやや引っ込んだ、いわゆる「面落ち」の状態で固定されるが、コーン穴自体が外へ向かって開いた円錐形状のため、振動その他によってコーン穴処理栓１Ａが外れやすく、また取り付けが不完全であると周囲に隙間が残って止水性が十分でないなどの問題点を残していた。
【特許文献１】特開２００５−１３９７１９号公報
【考案の開示】
【考案が解決しようとする課題】
【０００６】
本考案は、このような問題点を解消し、取り付けが完全で脱落のおそれがなく、美観と止水性を長期にわたって保持できる特許文献１記載の処理栓の改良品を提供することを目的とする。
【課題を解決するための手段】
【０００７】
本考案は、コンクリート壁体表面のコーン穴をふさぐ樹脂製のコンクリート壁体表面用穴埋め部材であって、前記コーン穴のコーン状の開口部に嵌合する本体と、この本体により一端側の開口が閉塞され、他端部の開口にセパレータのねじ部分が挿入される筒状の収納部とからなり、この収納部の内面に軸方向に複数列の突条が形成されていることを特徴とし、望ましくは取り付け後に壁体の表面側となる前記本体の底面を着色した前記のコンクリート壁体表面用穴埋め部材であり、あるいは取り付け後に壁体の表面側となる前記本体の底面に反射材を貼り付けた前記のコンクリート壁体表面用穴埋め部材であり、また、前記収納部の外側に筒状のゴムを嵌めた前記のコンクリート壁体表面用穴埋め部材である。
【考案の効果】
【０００８】
本考案によれば、穴埋め部材の脱落のおそれがなく、止水性も完全で、かつ壁面に美観を増したり壁面を目立たせるなどの新たな効果を付与することができるという、すぐれた効果を奏する。
【考案を実施するための最良の形態】
【０００９】
本考案の穴埋め部材は樹脂製の一体成形品であり、筒状の収納部の内面に軸方向の複数列の突条が形成されている。収納部の内径がセパレータのねじ部の外径にほぼ等しく、突条はそれよりも内側であるから押し込む際に突条は変形してねじ山に食い込むので、穴埋め部材はコーン穴内にしっかりと固定され、ゆるんだり脱落したりすることがない。
さらに本体の底面を着色したり、反射材を貼り付けたりすることによって、単にコーン穴を埋めるだけでなく、壁面に模様を施し、あるいは夜間等に壁面を目立たせて事故を防止するなどの新たな効果を持たせることができる。
【実施例】
【００１０】
本考案の実施例を図面により説明する。図１は実施例のコンクリート壁体表面用穴埋め部材１の断面図、図２は同じく斜視図、図３は打込み後の使用状態における断面図で、これまでのものと同じものについては同じ符号を使用している。１２１は収納部１２の内面に形成された軸方向の複数列の突条、１２２は収納部１２の先端外面に形成されたリング状突起である。図１に示した収納部１２の内径Ｄがセパレータのねじ部の外径にほぼ等しく、突条１２１はそれよりも内側であるから、図３に示すように、ゴムハンマなどで叩いて押し込んだ状態では、突条１２１は変形してセパレータ３のねじ部３１のねじ山に食い込んでいる。偏心せずに均等に食い込ませるため、突条１２１は等間隔に３〜６列、例えば４列とするのがよい。なお、樹脂製の突条１２１には変形による柔軟性があるから、５／１６インチ、３／８インチのいずれのセパレータにも同じ寸法のもので対応できる。
【００１１】
ねじ部３１のさび防止などの止水性に関しては、筒状の収納部１２にねじ部３１を収納し、本体１１のフランジ１１３が変形してコーン穴の入口をふさぐことで一応の効果はあるが、より完全に行うには、図４に示すように、取り付けの際、収納部１２の内部にシーリング材Ｓを充填してから打ち込むようにするとよい。シーリング材Ｓがねじ部３１を覆い、さび発生を防止するとともに、穴埋め部材１の固定をより強固にする。シーリング材Ｓとしては非硬化性、非収縮性のもの、たとえば１成分形変性シリコン系シーリング材、いわゆる建築用セメダインなどがよい。
【００１２】
なお、コンクリートの塩害対策用として長い「ロングＰコーン」が使用される場合があるが、本考案の穴埋め部材にシーリング材を併用すれば塩害は十分防止できるので、ロングＰコーンを使用しなくても、通常のコーンでよい。
また、将来この穴埋め部材１を取り外してセパレータのねじを再使用することが考えられるような場合には、シーリング材を充填する代わりに、図３に示したように筒状のゴムＲを収納部１２の外側に嵌めるのがよい。この場合、筒状のゴムＲの外周がコーン穴Ｈに接してつぶれる状態とすることが必要である。ゴムＲの材質としては、吸水して膨張するものが好ましい。ゴムＲの脱落防止のため、収納部１２の先端にリング状突起１２２を形成するとよい。
【００１３】
本考案の穴埋め部材は前記のとおり樹脂製の一体成形品であるから、着色したペレットを使用することにより、任意の色調を有するものとすることができる。従来の穴埋め部材は、モルタル充填の時代の先入観からコンクリート色とすることが常識のように思われていたが、赤、黄、青、黒などの彩色を施すことにより、壁体に模様をつけるという、新たな機能を付与することができる。着色手段としては樹脂そのものに色付けするだけでなく、底面にカラーシートを貼り付けたり、塗装したりしてもよい。図５は壁体Ｗの一例である。コンクリート部分を黄色にし、穴埋め部材１の部分を黒色とすることで警戒色とすることができるし、その他彩色の組み合わせは任意である。さらに底面に反射材を貼り付ければ夜間に壁体の存在を示し、衝突防止効果を持たせることもできる。
【図面の簡単な説明】
【００１４】
【図１】実施例の穴埋め部材の断面図である。
【図２】実施例の穴埋め部材の斜視図である。
【図３】実施例の穴埋め部材の使用状態における断面図である。
【図４】実施例の穴埋め部材の使用方法を示す説明図である。
【図５】実施例の穴埋め部材を取り付けた壁体の一例を示す正面図である。
【図６】本考案に係わるコンクリート壁体の構築中の状態を示す断面図である。
【図７】本考案に係わる連結金具を分解状態で示す説明図である。
【図８】本考案に係わる連結金具の斜視図である。
【図９】本考案に係わるコンクリート壁体の型枠を取り外した状態の断面図である。
【図１０】従来の技術における穴埋め部材を示す斜視図である。
【符号の説明】
【００１５】
１、１Ａ    （コンクリート壁体表面用）穴埋め部材
３    セパレータ
４    連結金具
５    クリップ
６    型枠
１１    （穴埋め部材の）本体
１２    （穴埋め部材の）収納部
３１    （セパレータの）ねじ部
４１    （連結金具の）板状部
４２    （連結金具の）コーン
１１１  （本体の）斜面
１１２  （本体の）フィン
１１３  （本体の）フランジ
１２１  （収納部の）突条
１２２  （収納部の）リング状突起
Ｈ    コーン穴
Ｒ    （筒状の）ゴム
Ｓ    シーリング材
Ｗ    壁体
【図１】
0003127161.tif 000003
【図２】
0003127161.tif 000004
【図３】
0003127161.tif 000005
【図４】
0003127161.tif 000006
【図５】
0003127161.tif 000007
【図６】
0003127161.tif 000008
【図７】
0003127161.tif 000009
【図８】
0003127161.tif 000010
【図９】
0003127161.tif 000011
【図１０】
0003127161.tif 000012